(57)【特許請求の範囲】
【請求項１】
電気泳動粒子と、
その電気泳動粒子とは光学的反射特性が異なる非泳動粒子を含む繊維状構造体により形成されると共に複数の細孔を有する多孔質層と、
その多孔質層に対して部分的に隣接すると共に前記電気泳動粒子を収容する空間を形成する隔壁とを含み、
前記非泳動粒子は、前記繊維状構造体により保持されており、
前記多孔質層の単位面積中に占める前記細孔の面積の割合は、前記隔壁が前記多孔質層に隣接していない非隣接領域よりも、前記隔壁が前記多孔質層に隣接している隣接領域において小さい、
電気泳動素子。
【請求項２】
前記多孔質層の厚さは前記非隣接領域よりも前記隣接領域において小さい、
請求項１記載の電気泳動素子。
【請求項３】
前記隔壁の幅は前記多孔質層に近づくにしたがって次第に小さくなる、
請求項１記載の電気泳動素子。
【請求項４】
前記繊維状構造体は高分子材料または無機材料により形成され、その平均繊維径は１０μｍ以下であり、
前記電気泳動粒子および前記非泳動粒子は有機顔料、無機顔料、染料、炭素材料、金属材料、金属酸化物、ガラスまたは高分子材料により形成されている、
請求項１記載の電気泳動素子。
【請求項５】
前記繊維状構造体は静電紡糸法により形成されている、
請求項１記載の電気泳動素子。
【請求項６】
光の反射率は前記電気泳動粒子よりも前記非泳動粒子において高い、
請求項１記載の電気泳動素子。
【請求項７】
前記非泳動粒子の一部は前記繊維状構造体から部分的に露出している、
請求項１記載の電気泳動粒子。
【請求項８】
少なくとも一方が光透過性を有する一対の基体の間に電気泳動素子を備え、
前記電気泳動素子は、電気泳動粒子と、その電気泳動粒子とは光学的反射特性が異なる非泳動粒子を含む繊維状構造体により形成されると共に複数の細孔を有する多孔質層と、その多孔質層に対して表示面の反対側から部分的に隣接すると共に前記電気泳動粒子を収容する空間を形成する隔壁とを含み、
前記非泳動粒子は、前記繊維状構造体により保持されており、
前記多孔質層の単位面積中に占める前記細孔の面積の割合は、前記隔壁が前記多孔質層に隣接していない非隣接領域よりも、前記隔壁が前記多孔質層に隣接している隣接領域において小さい、
表示装置。
【発明の詳細な説明】
【技術分野】
【０００１】
本技術は、電気泳動粒子および多孔質層を含む電気泳動素子、ならびにそれを用いた表示装置に関する。
【背景技術】
【０００２】
近年、携帯電話機または携帯情報端末機器（ＰＤＡ）などに代表されるモバイル機器の普及に伴い、低消費電力で高品位画質の表示装置（ディスプレイ）に関する需要が高まっている。中でも、最近では、電子書籍の配信事業の誕生に伴い、文字情報を長時間読むことを目的とした読書用途の電子書籍端末が注目されているため、その用途に適した表示品位を有するディスプレイが望まれている。
【０００３】
読書用途のディスプレイとしては、コレステリック液晶ディスプレイ、電子泳動型ディスプレイ、電気酸化還元型ディスプレイまたはツイストボール型ディスプレイなどが提案されているが、中でも、いわゆる反射型に分類されるディスプレイが好ましい。紙と同様に外光の反射（散乱）を利用して明表示するため、紙に近い表示品位が得られるからである。また、バックライトが不要であるため、消費電力が抑えられるからである。
【０００４】
反射型ディスプレイの有力候補は、電気泳動現象を利用して明暗（コントラスト）を生じさせる電気泳動型ディスプレイである。低消費電力であると共に高速応答性に優れているからである。そこで、電気泳動型ディスプレイの表示方法について、さまざまな検討がなされている。
【０００５】
具体的には、絶縁性液体中に光学的反射特性および極性が異なる２種類の荷電粒子を分散させて、それらの極性の違いを利用して電界に応じて各荷電粒子を移動させる方法が提案されている（例えば、特許文献１，２参照。）。この方法では、電界に応じて２種類の荷電粒子の分布状態が変化するため、それらの光学的反射特性の違いを利用してコントラストが生じる。
【０００６】
また、絶縁性液体中に荷電粒子を分散させると共に、その荷電粒子とは光学的反射特性が異なる多孔質層を配置して、電界に応じて多孔質層の細孔を経由して荷電粒子を移動させる方法が提案されている（例えば、特許文献３〜６参照。）。この多孔質層としては、レーザを用いた穴開け加工により細孔が形成された高分子フィルムや、合成繊維などにより編まれた布や、連泡多孔性高分子などが用いられている。この方法では、電界に応じて荷電粒子の分布状態が変化するため、荷電粒子と多孔質層との光学的反射特性の違いを利用してコントラストが生じる。
【０００７】
この他、荷電粒子をマイクロカプセルに封入したり、隔壁構造により荷電粒子の存在可能範囲を仕切る方法が提案されている（例えば、特許文献７，８参照。）。この方法により、荷電粒子の凝集、沈殿および対流などが抑制される。
【先行技術文献】
【特許文献】
【０００８】
【特許文献１】特公昭５０−０１５１１５号公報
【特許文献２】特許第４１８８０９１号明細書
【特許文献３】特開２００５−１０７１４６号公報
【特許文献４】特公昭５０−０１５１２０号公報
【特許文献５】特開２００５−１２８１４３号公報
【特許文献６】特開２００２−２４４１６３号公報
【特許文献７】特許第２５５１７８３号明細書
【特許文献８】特表２００３−５２６８１７号公報
【発明の概要】
【発明が解決しようとする課題】
【０００９】
電気泳動型ディスプレイについてさまざまな表示方法が提案されているにもかかわらず、その表示品位は未だ十分であるとは言えず、今後のカラー化および動画表示などへの展開を考えると、コントラストおよび応答速度に関してさらなる性能向上が必要である。この場合には、電気泳動型ディスプレイの本来の利点を活かすために、消費電力を抑えることも重要である。
【００１０】
本技術はかかる問題点に鑑みてなされたもので、その目的は、高コントラスト、高速応答および低消費電力を実現可能な電気泳動素子および表示装置を提供することにある。
【課題を解決するための手段】
【００１１】
本技術の電気泳動素子は、電気泳動粒子と、その電気泳動粒子とは光学的反射特性が異なる非泳動粒子を含む繊維状構造体により形成されると共に複数の細孔を有する多孔質層と、その多孔質層に対して部分的に隣接すると共に電気泳動粒子を収容する空間を形成する隔壁とを含むものである。この非泳動粒子は、繊維状構造体により保持されている。また、多孔質層の単位面積中に占める細孔の面積の割合は、隔壁が多孔質層に隣接していない非隣接領域よりも、隔壁が多孔質層に隣接している隣接領域において小さい。
【００１２】
本技術の表示装置は、少なくとも一方が光透過性を有する一対の基体の間に、上記した本技術の電気泳動素子を備えたものである。
【００１３】
なお、「光学的反射特性」とは、いわゆる光（外光）の反射率である。非泳動粒子の光学的反射特性が電気泳動粒子の光学的反射特性と異なっているのは、それらの光反射率の違いを利用してコントラストを生じさせるためである。また、多孔質層および細孔の「面積」とは、多孔質層の切断面における面積であり、その多孔質層の切断方向は、任意でよい。この面積を測定するためには、各種顕微鏡を用いて切断面を観察すればよい。さらに、「表示面」とは、表示装置において画像が表示される側の面であり、電気泳動素子では、多孔質層に対して隔壁が隣接していない側の面が表示面に相当する面となる。
【発明の効果】
【００１４】
本技術の電気泳動素子によれば、多孔質層は繊維状構造体により形成されており、その繊維状構造体は電気泳動粒子とは光学的反射特性が異なる非泳動粒子を保持している。この場合には、多孔質層が電気泳動粒子を移動させることができる十分な大きさおよび数の細孔を有していながら、その多孔質層において薄い膜厚でも外光が乱反射されやすくなる。これにより、多孔質層の光反射率が向上するため、コントラストが高くなる。また、電気泳動粒子が細孔を移動しやすくなるため、その移動に要する時間が短くなると共に、必要なエネルギーも低くなる。
【００１５】
しかも、隔壁は多孔質層に対して部分的に隣接しており、その多孔質層の単位面積中に占める細孔の面積の割合は非隣接領域よりも隣接領域において小さくなっている。この場合には、表示装置における表示面の反対側から隔壁が多孔質層に対して隣接していれば、隔壁により電気泳動粒子の存在可能範囲が仕切られ、その電気泳動粒子が隣接領域における多孔質層を経由して移動しにくくなるため、電気泳動粒子の拡散、対流および凝集などが抑制されると共に、表示面から見ると隔壁が多孔質層により遮蔽される。これにより、表示ムラなどの画質低下が抑制されるため、画像の表示安定性が向上する。また、隔壁の存在に起因してコントラストが低下しにくくなるため、コントラストがより高くなる。
【００１６】
これらのことから、高コントラスト、高速応答および低消費電力を実現できる。また、本技術の電気泳動素子を用いた表示装置によれば、低消費電力で高品位な画像を表示できる。
【図面の簡単な説明】
【００１７】
【図１】本技術の一実施形態の電気泳動素子を用いた表示装置の構成を表す断面図である。
【図２】表示装置の主要部の構成を表す平面図である。
【図３】表示装置の他の主要部の構成を表す平面図である。
【図４】表示装置の動作を説明するための断面図である。
【図５】表示装置の製造方法を説明するための断面図である。
【図６】図５に続く工程を説明するための断面図である。
【発明を実施するための形態】
【００１８】
以下、本技術の実施形態について、図面を参照して詳細に説明する。なお、説明する順序は、下記の通りである。
１．電気泳動素子を用いた表示装置の構成
２．表示装置の製造方法
【００１９】
＜１．電気泳動素子を用いた表示装置の構成＞
まず、本技術の一実施形態の電気泳動素子を用いた表示装置の構成について説明する。図１は、表示装置の断面構成を表しており、図２および図３は、図１に示した表示装置の主要部の平面構成を表している。なお、図１では、図３に示したＩ−Ｉ線に沿った断面を示している。
【００２０】
本技術の電気泳動素子は、表示装置などのさまざまな用途に適用可能であり、その用途は、特に限定されない。ここでは、例えば、電気泳動素子を表示装置に適用する場合について説明するが、その表示装置の構成はあくまで一例であり、適宜変更可能である。
【００２１】
［表示装置の全体構成］
表示装置は、電気泳動現象を利用して画像（例えば文字情報など）を表示する電気泳動型ディスプレイ、いわゆる電子ペーパーディスプレイである。この表示装置は、例えば、図１に示したように、駆動基板１０と対向基板２０とが電気泳動素子３０およびスペーサ４０を介して対向配置されたものであり、対向基板２０側に表示面を有している。なお、「対向基板２０側に表示面を有する」とは、対向基板２０側において画像を表示するという意味である。
【００２２】
［駆動基板］
駆動基板１０は、例えば、支持基体１１の一面に、複数の薄膜トランジスタ（ＴＦＴ）１２と、保護層１３と、平坦化絶縁層１４と、複数の画素電極１５とがこの順に形成されたものである。ＴＦＴ１２および画素電極１５は、例えば、画素配置などに応じてマトリクス状またはセグメント状に配置されている。
【００２３】
支持基体１１は、例えば、無機材料、金属材料またはプラスチック材料などにより形成されている。無機材料は、例えば、ケイ素（Ｓｉ）、酸化ケイ素（ＳｉＯx ）、窒化ケイ素（ＳｉＮx ）または酸化アルミニウム（ＡｌＯx ）などであり、その酸化ケイ素には、例えば、ガラスまたはスピンオングラス（ＳＯＧ）などが含まれる。金属材料は、例えば、アルミニウム（Ａｌ）、ニッケル（Ｎｉ）またはステンレスなどである。プラスチック材料は、例えば、ポリカーボネート（ＰＣ）、ポリエチレンテレフタレート（ＰＥＴ）、ポリエチレンナフタレート（ＰＥＮ）またはポリエチルエーテルケトン（ＰＥＥＫ）などである。
【００２４】
この支持基体１１は、光透過性でもよいし、非光透過性でもよい。対向基板２０側において画像が表示されるため、支持基体１１は必ずしも光透過性である必要がないからである。また、支持基体１１は、ウェハなどの剛性を有する基板でもよいし、可撓性を有する薄層ガラスまたはフィルムなどでもよいが、中でも、後者であることが好ましい。フレキシブル（折り曲げ可能）な表示装置を実現できるからである。
【００２５】
ＴＦＴ１２は、画素を選択するためのスイッチング用素子である。このＴＦＴ１２は、チャネル層として無機半導体層を用いた無機ＴＦＴでもよいし、有機半導体層を用いた有機ＴＦＴでもよい。保護層１３および平坦化絶縁層１４は、例えば、ポリイミドなどの絶縁性材料により形成されている。ただし、保護層１３の表面が十分に平坦であれば、平坦化絶縁層１４はなくてもよい。画素電極１５は、例えば、金（Ａｕ）、銀（Ａｇ）、銅（Ｃｕ）、アルミニウム（Ａｌ）、アルミニウム合金、または酸化インジウム−酸化スズ（ＩＴＯ）などの導電性材料により形成されている。この画素電極１５は、保護層１３および平坦化絶縁層１４に設けられたコンタクトホール（図示せず）を通じてＴＦＴ１２に接続されている。
【００２６】
なお、図１では、例えば、ＴＦＴ１２が後述するセル３６ごとに分割配置されている（１つのセル３６に対して１つのＴＦＴ１２が配置されている）場合を示している。しかしながら、必ずしもこれに限られず、セル３６およびＴＦＴ１２のそれぞれの個数および形成範囲は任意でよい。例えば、３つのセル３６に対して２つのＴＦＴ１２が配置されていてもよいし、セル３６の形成範囲内に隣り合う２つのＴＦＴ１２間の境界が位置してもよい。
【００２７】
［対向基板］
対向基板２０は、例えば、支持基体２１の一面に対向電極２２が全面形成されたものである。ただし、対向電極２２は、画素電極１５と同様にマトリクス状またはセグメント状に配置されていてもよい。
【００２８】
支持基体２１は、光透過性であることを除き、支持基体１１と同様の材料により形成されている。対向基板２０側において画像が表示されるため、支持基体２１は光透過性である必要があるからである。対向電極２２は、例えば、酸化インジウム−酸化スズ（ＩＴＯ）、酸化アンチモン−酸化スズ（ＡＴＯ）、フッ素ドープ酸化スズ（ＦＴＯ）またはアルミニウムドープ酸化亜鉛（ＡＺＯ）などの光透光性導電性材料（透明電極材料）により形成されている。
【００２９】
対向基板２０側において画像を表示する場合には、対向電極２２を介して表示装置（電気泳動素子３０）を見ることになるため、その対向電極２２の光透過性（光透過率）は、できるだけ高いことが好ましく、例えば、８０％以上である。また、対向電極２２の電気抵抗は、できるだけ低いことが好ましく、例えば、１００Ω／□以下である。
【００３０】
［電気泳動素子］
電気泳動素子３０は、絶縁性液体３１中に分散された泳動粒子３２と、複数の細孔３４を有する多孔質層３３と、その多孔質層３３に対して部分的に隣接する隔壁３５とを含んでいる。なお、図１では、図示内容を簡略化するために、細孔３４の一部だけを示している。
【００３１】
［絶縁性液体］
絶縁性液体３１は、例えば、駆動基板１０および対向基板２０とスペーサ４０とにより囲まれた空間に充填されている。
【００３２】
この絶縁性液体３１は、例えば、有機溶媒などの非水溶媒のいずれか１種類または２種類以上であり、具体的には、パラフィンまたはイソパラフィンなどである。絶縁性液体３１の粘度および屈折率は、できるだけ低いことが好ましい。泳動粒子３２の移動性（応答速度）が向上すると共に、それに応じて泳動粒子３２を移動させるために必要なエネルギー（消費電力）が低くなるからである。また、絶縁性液体３１の屈折率と多孔質層３３の屈折率との差が大きくなるため、その多孔質層３３の光反射率が高くなるからである。
【００３３】
なお、絶縁性液体３１は、必要に応じて、各種材料を含んでいてもよい。この材料は、例えば、着色剤、電荷制御剤、分散安定剤、粘度調製剤、界面活性剤または樹脂などである。
【００３４】
［泳動粒子］
泳動粒子３２は、電気的に泳動する１または２以上の荷電粒子（電気泳動粒子）であり、電界に応じて絶縁性液体３１中を画素電極１５または対向電極２２に向かって移動可能である。この泳動粒子３２は、例えば、有機顔料、無機顔料、染料、炭素材料、金属材料、金属酸化物、ガラスまたは高分子材料（樹脂）などの粒子（粉末）のいずれか１種類または２種類以上である。また、泳動粒子３２は、上記した粒子を含む樹脂固形分の粉砕粒子またはカプセル粒子などでもよい。なお、炭素材料、金属材料、金属酸化物、ガラスまたは高分子材料に該当する材料は、有機顔料、無機顔料または染料に該当する材料から除かれることとする。
【００３５】
有機顔料は、例えば、アゾ系顔料、メタルコンプレックスアゾ系顔料、ポリ縮合アゾ系顔料、フラバンスロン系顔料、ベンズイミダゾロン系顔料、フタロシアニン系顔料、キナクリドン系顔料、アントラキノン系顔料、ペリレン系顔料、ペリノン系顔料、アントラピリジン系顔料、ピランスロン系顔料、ジオキサジン系顔料、チオインジゴ系顔料、イソインドリノン系顔料、キノフタロン系顔料またはインダンスレン系顔料などである。無機顔料は、例えば、亜鉛華、アンチモン白、カーボンブラック、鉄黒、硼化チタン、ベンガラ、マピコエロー、鉛丹、カドミウムエロー、硫化亜鉛、リトポン、硫化バリウム、セレン化カドミウム、炭酸カルシウム、硫酸バリウム、クロム酸鉛、硫酸鉛、炭酸バリウム、鉛白またはアルミナホワイトなどである。染料は、例えば、ニグロシン系染料、アゾ系染料、フタロシアニン系染料、キノフタロン系染料、アントラキノン系染料またはメチン系染料などである。炭素材料は、例えば、カーボンブラックなどである。金属材料は、例えば、金、銀または銅などである。金属酸化物は、例えば、酸化チタン、酸化亜鉛、酸化ジルコニウム、チタン酸バリウム、チタン酸カリウム、銅−クロム酸化物、銅−マンガン酸化物、銅−鉄−マンガン酸化物、銅−クロム−マンガン酸化物または銅−鉄−クロム酸化物などである。高分子材料は、例えば、可視光領域に光吸収域を有する官能基が導入された高分子化合物などである。このように可視光領域に光吸収域を有する高分子化合物であれば、その種類は特に限定されない。
【００３６】
絶縁性液体３１中における泳動粒子３２の含有量（濃度）は、特に限定されないが、例えば、０．１重量％〜１０重量％である。泳動粒子３２の遮蔽（隠蔽）性および移動性が確保されるからである。この場合には、０．１重量％よりも少ないと、泳動粒子３２が多孔質層３３を遮蔽しにくくなる可能性がある。一方、１０重量％よりも多いと、泳動粒子３２の分散性が低下するため、その泳動粒子３２が泳動しにくくなり、場合によっては凝集する可能性がある。
【００３７】
この泳動粒子３２は、任意の光学的反射特性（光反射率）を有している。泳動粒子３２の光反射率は、特に限定されないが、少なくとも泳動粒子３２が多孔質層３３を遮蔽可能となるように設定されることが好ましい。泳動粒子３２の光反射率と多孔質層３３の光反射率との違いを利用してコントラストを生じさせるためである。
【００３８】
ここで、泳動粒子３２の具体的な形成材料は、例えば、コントラストを生じさせるために泳動粒子３２が担う役割に応じて選択される。具体的には、泳動粒子３２により明表示する場合の材料は、例えば、酸化チタン、酸化亜鉛、酸化ジルコニウム、チタン酸バリウムまたはチタン酸カリウムなどの金属酸化物である。一方、泳動粒子３２により暗表示する場合の材料は、例えば、炭素材料または金属酸化物などである。炭素材料は、例えば、カーボンブラックなどであり、金属酸化物は、例えば、銅−クロム酸化物、銅−マンガン酸化物、銅−鉄−マンガン酸化物、銅−クロム−マンガン酸化物または銅−鉄−クロム酸化物などである。中でも、炭素材料が好ましい。優れた化学的安定性、移動性および光吸収性が得られるからである。
【００３９】
泳動粒子３２により明表示する場合、外部から視認される泳動粒子３２の色は、コントラストを生じさせることができれば特に限定されないが、中でも、白色に近い色が好ましく、白色がより好ましい。一方、泳動粒子３２により暗表示する場合、外部から視認される泳動粒子３２の色は、コントラストを生じさせることができれば特に限定されないが、中でも、黒色に近い色が好ましく、黒色がより好ましい。いずれの場合においても、コントラストが高くなるからである。
【００４０】
なお、泳動粒子３２は、絶縁性液体３１中において長期間に渡って分散および帯電しやすいと共に多孔質層３３に吸着しにくいことが好ましい。このため、静電反発により泳動粒子３２を分散させるために分散剤（または電荷調整剤）を用いたり、泳動粒子３２に表面処理を施してもよく、両者を併用してもよい。
【００４１】
分散剤は、例えば、Lubrizol社製のSolsperse シリーズ、BYK-Chemie社製のBYK シリーズまたはAnti-Terra シリーズ、あるいはICI Americas 社製Spanシリーズなどである。
【００４２】
表面処理は、例えば、ロジン処理、界面活性剤処理、顔料誘導体処理、カップリング剤処理、グラフト重合処理またはマイクロカプセル化処理などである。中でも、グラフト重合処理、マイクロカプセル化処理またはそれらの組み合わせが好ましい。長期間の分散安定性などが得られるからである。
【００４３】
表面処理用の材料は、例えば、泳動粒子３２の表面に吸着可能な官能基と重合性官能基とを有する材料（吸着性材料）などである。吸着可能な官能基の種類は、泳動粒子３２の形成材料に応じて決定される。一例を挙げると、カーボンブラックなどの炭素材料に対しては４−ビニルアニリンなどのアニリン誘導体であり、金属酸化物に対してはメタクリル酸３−（トリメトキシシリル）プロピルなどのオルガノシラン誘導体である。重合性官能基は、例えば、ビニル基、アクリル基、メタクリル基などである。
【００４４】
また、表面処理用の材料は、例えば、重合性官能基が導入された泳動粒子３２の表面にグラフト可能な材料（グラフト性材料）である。このグラフト性材料は、重合性官能基と、絶縁性液体３１中に分散可能であると共に立体障害により分散性を保持可能な分散用官能基とを有していることが好ましい。重合性官能基の種類は、吸着性材料について説明した場合と同様である。分散用官能基は、例えば、絶縁性液体３１がパラフィンである場合には分岐状のアルキル基などである。グラフト性材料を重合およびグラフトさせるためには、例えば、アゾビスイソブチロニトリル（ＡＩＢＮ）などの重合開始剤を用いればよい。
【００４５】
参考までに、上記したように絶縁性液体３１中に泳動粒子３２を分散させる方法の詳細については、「超微粒子の分散技術とその評価〜表面処理・微粉砕と気中／液中／高分子中の分散安定化〜（サイエンス＆テクノロジー社）」などの書籍に掲載されている。
【００４６】
［多孔質層］
多孔質層３３は、図２に示したように、繊維状構造体３３１により形成された３次元立体構造物（不織布のような不規則なネットワーク構造物）であり、例えば、スペーサ４０により支持されている。この多孔質層３３は、繊維状構造体３３１が存在していない箇所に、電気泳動粒子３２が移動するための複数の隙間（細孔３４）を有している。
【００４７】
繊維状構造体３３１には、１または２以上の非泳動粒子３３２が含まれており、その非泳動粒子３３２は、繊維状構造体３３１により保持されている。３次元立体構造物である多孔質層３３では、１本の繊維状構造体３３１がランダムに絡み合っていてもよいし、複数本の繊維状構造体３３１が集合してランダムに重なっていてもよい。繊維状構造体３３１が複数本である場合、各繊維状構造体３３１は、１または２以上の非泳動粒子３３２を保持していることが好ましい。なお、図２では、複数本の繊維状構造体３３１により多孔質層３３が形成されている場合を示している。
【００４８】
多孔質層３３が繊維状構造体３３１により形成された３次元立体構造物であるのは、その不規則な立体構造により外光が乱反射（多重散乱）されやすくなるため、多孔質層３３の光反射率が高くなると共に、その高い光反射率を得るために多孔質層３３の厚さが薄くて済むからである。これにより、コントラストが高くなると共に、泳動粒子３２を移動させるために必要なエネルギーが低くなる。また、細孔３４の平均孔径が大きくなると共にその数が多くなるため、泳動粒子３２が細孔３４を移動しやすくなるからである。これにより、泳動粒子３２が移動するために必要な時間が短くなると共に、その泳動粒子３２を移動させるために必要なエネルギーも低くなる。
【００４９】
繊維状構造体３３１に非泳動粒子３３２が含まれているのは、外光がより乱反射しやすくなるため、多孔質層３３の光反射率がより高くなるからである。これにより、コントラストがより高くなる。
【００５０】
繊維状構造体３３１は、繊維径（直径）に対して長さが十分に大きい繊維状物質である。この繊維状構造体３３１は、例えば、高分子材料または無機材料などのいずれか１種類または２種類以上であり、他の材料でもよい。高分子材料は、例えば、ナイロン、ポリ乳酸、ポリアミド、ポリイミド、ポリエチレンテレフタレート、ポリアクリロニトリル、ポリエチレンオキシド、ポリビニルカルバゾール、ポリビニルクロライド、ポリウレタン、ポリスチレン、ポリビニルアルコール、ポリサルフォン、ポリビニルピロリドン、ポリビニリデンフロリド、ポリヘキサフルオロプロピレン、セルロースアセテート、コラーゲン、ゼラチン、キトサンまたはそれらのコポリマーなどである。無機材料は、例えば、酸化チタンなどである。中でも、繊維状構造体３３１の形成材料としては、高分子材料が好ましい。反応性（光反応性など）が低い（化学的に安定である）ため、繊維状構造体３３１の意図しない分解反応が抑制されるからである。なお、繊維状構造体３３１が高反応性の材料により形成される場合には、その繊維状構造体３３１の表面は任意の保護層により被覆されることが好ましい。
【００５１】
繊維状構造体３３１の形状（外観）は、上記したように繊維径に対して長さが十分に大きい繊維状であれば、特に限定されない。具体的には、直線状でもよいし、縮れていたり、途中で折れ曲がっていてもよい。また、一方向に延在しているだけに限らず、途中で１または２以上の方向に分岐していてもよい。この繊維状構造体３３１の形成方法は、特に限定されないが、例えば、相分離法、相反転法、静電（電界）紡糸法、溶融紡糸法、湿式紡糸法、乾式紡糸法、ゲル紡糸法、ゾルゲル法またはスプレー塗布法などであることが好ましい。繊維径に対して長さが十分に大きい繊維状物質を容易かつ安定に形成しやすいからである。
【００５２】
繊維状構造体３３１の平均繊維径は、特に限定されないが、できるだけ小さいことが好ましい。光が乱反射しやすくなると共に、細孔３４の孔径が大きくなるからである。ただし、平均繊維径は、繊維状構造体３３１が非泳動粒子３３２を保持できるように決定される必要がある。このため、繊維状構造体３３１の平均繊維径は、１０μｍ以下であることが好ましい。なお、平均繊維径の下限は、特に限定されないが、例えば、０．１μｍであり、それ以下でもよい。この平均繊維径は、例えば、走査型電子顕微鏡（ＳＥＭ）などを用いた顕微鏡観察により測定される。なお、繊維状構造体３３１の平均長さは、任意でよい。
【００５３】
細孔３４の平均孔径は、特に限定されないが、中でも、できるだけ大きいことが好ましい。泳動粒子３２が細孔３４を経由して移動しやすくなるからである。このため、細孔３４の平均孔径は、０．１μｍ〜１０μｍであることが好ましい。
【００５４】
多孔質層３３の厚さは、特に限定されないが、例えば、５μｍ〜１００μｍである。多孔質層３３の遮蔽性が高くなると共に、泳動粒子３２が細孔３４を経由して移動しやすくなるからである。なお、ここで規定した多孔質層３３の厚さとは、後述する非隣接領域Ｒ２における多孔質層３３の厚さである。
【００５５】
特に、繊維状構造体３３１は、ナノファイバーであることが好ましい。立体構造が複雑化して外光が乱反射しやすくなるため、多孔質層３３の光反射率がより高くなると共に、多孔質層３３の単位面積中に占める細孔３４の面積の割合が大きくなるため、泳動粒子３２が細孔３４を移動しやすくなるからである。これにより、コントラストがより高くなると共に、泳動粒子３２を移動させるために必要なエネルギーがより低くなる。ナノファイバーとは、繊維径が０．００１μｍ〜０．１μｍであると共に長さが繊維径の１００倍以上である繊維状物質である。ナノファイバーである繊維状構造体３３１は、静電紡糸法により形成されていることが好ましい。繊維径が小さい繊維状構造体３３１を容易かつ安定に形成しやすいからである。
【００５６】
この繊維状構造体３３１は、泳動粒子３２とは異なる光学的反射特性を有していることが好ましい。具体的には、繊維状構造体３３１の光反射率は、特に限定されないが、少なくとも多孔質層３３が全体として泳動粒子３２を遮蔽可能となるように設定されることが好ましい。上記したように、泳動粒子３２の光反射率と多孔質層３３の光反射率との違いを利用してコントラストを生じさせるためである。これに伴い、絶縁性液体３１中において光透過性（無色透明）を有する繊維状構造体３３１は好ましくない。ただし、繊維状構造体３３１の光反射率が多孔質層３３全体の光反射率にほとんど影響を及ぼさず、その多孔質層３３全体の光反射率が実質的に非泳動粒子３３２の光反射率により決定される場合には、繊維状構造体３３１の光反射率は任意でよい。
【００５７】
非泳動粒子３３２は、繊維状構造体３３１により保持（固定）されており、電気的に泳動しない粒子である。この非泳動粒子３３２の形成材料は、例えば、泳動粒子３２の形成材料と同様であり、後述するように、非泳動粒子３３２が担う役割に応じて選択される。
【００５８】
なお、非泳動粒子３３２は、繊維状構造体３３１により保持されていれば、繊維状構造体３３１から部分的に露出していてもよいし、その内部に埋設されていてもよい。
【００５９】
この非泳動粒子３３２は、泳動粒子３２とは異なる光学的反射特性を有している。非泳動粒子３３２の光反射率は、特に限定されないが、少なくとも多孔質層３３が全体として泳動粒子３２を遮蔽可能となるように設定されることが好ましい。上記したように、泳動粒子３２の光反射率と多孔質層３３の光反射率との違いを利用してコントラストを生じさせるためである。
【００６０】
ここで、非泳動粒子３３２の具体的な形成材料は、例えば、コントラストを生じさせるために非泳動粒子３３２が担う役割に応じて選択される。具体的には、非泳動粒子３３２により明表示する場合の材料は、泳動粒子３２により明表示する場合に選択される材料と同様である。一方、非泳動粒子３３２により暗表示する場合の材料は、泳動粒子３２により暗表示する場合に選択される材料と同様である。中でも、非泳動粒子３３２により明表示する場合に選択される材料としては、金属酸化物が好ましい。優れた化学的安定性、定着性および光反射性が得られるからである。コントラストを生じさせることができれば、非泳動粒子３３２の形成材料は、泳動粒子３２の形成材料と同じ種類でもよいし、違う種類でもよい。
【００６１】
なお、非泳動粒子３３２により明表示または暗表示する場合に視認される色は、泳動粒子３２が視認される色について説明した場合と同様である。
【００６２】
特に、多孔質層３３に対して、表示面の反対側から隔壁３５が部分的に隣接している。この隔壁３５は、泳動粒子３２を収容する空間（後述するセル３６）を形成するものである。これにより、多孔質層３３の存在領域は、図１に示したように、隔壁３５が多孔質層３３に隣接している領域（隣接領域Ｒ１）と、隔壁３５が多孔質層３３に隣接していない領域（非隣接領域Ｒ２）とに分類される。
【００６３】
多孔質層３３の単位面積中に占める細孔３４の面積の割合（以下、「細孔３４の面積占有率」という。）は、非隣接領域Ｒ２よりも隣接領域Ｒ１において小さくなっている。多孔質層３３は、例えば、細孔３４の面積占有率がほぼ均一になるように形成されたのち、その多孔質層３３の一部が押圧されることにより形成されたものだからである。この多孔質層３３の厚さＴは、例えば、非隣接領域Ｒ２よりも隣接領域Ｒ１において小さくなっている。
【００６４】
細孔３４の面積占有率は、多孔質層３３の面積およびその中に存在する細孔３４の面積から、面積占有率（％）＝（細孔３４の面積／多孔質層３３の面積）×１００で表される。この面積占有率を調べるためには、例えば、クライオトームなどを用いて多孔質層３３を切片加工したのち、金属顕微鏡、共焦点顕微鏡または走査型電子顕微鏡などを用いて多孔質層３３の断面を観察すればよい。なお、繊維状構造体３３１（非泳動粒子３３２を含む）と細孔３４とを識別する（繊維状構造体３３１と細孔３４との境界を特定する）ためには、目視でもよいが、コントラストなどの差異を利用して画像を識別する画像処理ソフトなどを用いてもよい。面積を算出する場合においても、同様である。
【００６５】
ここでは、隣接領域Ｒ１と非隣接領域Ｒ２とにおける細孔３４の占有率の違いを特定するために面積占有率を用いているが、その代わりに体積占有率を用いてもよい。体積占有率を用いても、面積占有率を用いる場合と同様に、細孔３４の占有率の違いを特定できるからである。
【００６６】
表示面の反対側から隔壁３５が多孔質層３３に対して隣接しているのは、隔壁３５の存在に起因するコントラストの低下が抑制されるからである。詳細には、後述するように樹脂などの光透過性の材料により隔壁３５が形成される場合には、各セル３６において、隣りのセル３６から隔壁３５を経由して漏れる光（可視光）に起因してコントラストが低下しやすくなる。この点に関して、表示面側から見て隔壁３５の手前に光を透過しにくい（細孔３４の面積占有率が小さい）多孔質層３３が存在していると、隣りのセル３６から漏れる光やそれ以外の光（例えば駆動基板１０から生じる光など）に起因するコントラストの低下が抑制される。このため、隔壁３５の存在に起因してコントラストが低下しにくくなる。
【００６７】
また、細孔３４の面積占有率が非隣接領域Ｒ２よりも隣接領域Ｒ１において小さくなっているのは、隣接領域Ｒ１において、細孔３４の面積占有率が大きい場合よりも隔壁３５が多孔質層３３により遮蔽されやすくなるからである。また、隣接領域Ｒ１では、細孔３４の面積占有率の減少に応じて細孔３４の大きさおよび数が減少するため、その細孔３４を経由して泳動素子３２が隣りのセル３６に移動しにくくなるからである。
【００６８】
なお、多孔質層３３の厚さＴが非隣接領域Ｒ２よりも隣接領域Ｒ１において小さくなっているのは、上記したように、隔壁３５が多孔質層３３により遮蔽されやすくなると共に泳動粒子３２が意図せずに移動しにくくなるように、隣接領域Ｒ１において多孔質層３３が押圧されているからである。また、多孔質層３３の厚さＴが非隣接領域Ｒ２よりも隣接領域Ｒ１において小さくなっていない場合、すなわち隣接領域Ｒ１において多孔質層３３が押圧されていない場合よりも、電気泳動素子３０全体の厚さが小さくなるため、その電気泳動素子３０が薄型化されるからである。
【００６９】
多孔質層３３の形成手順の一例は、以下の通りである。最初に、有機溶剤などに繊維状構造体３３１の形成材料（例えば高分子材料など）を分散または溶解させて、紡糸溶液を調製する。続いて、紡糸溶液に非泳動粒子３３２を加えたのち、十分に攪拌して非泳動粒子３３２を分散させる。続いて、紡糸溶液を用いて、静電紡糸法により紡糸を行う。これにより、繊維状構造体３３１により非泳動粒子３３２が保持されるため、細孔３４の面積占有率がほぼ均一である多孔質層３３が形成される。最後に、多孔質層３３の一部を押圧して、その押圧部分における細孔３４の面積占有率を減少させる。この多孔質層３３を押圧するための部材としては、最終的に多孔質層３３に隣接することになる隔壁３５を用いてもよいし、隔壁３５以外の他の部材を用いてもよい。この部材は、多孔質層３３を押圧できるものであれば、何でもよい。これにより、多孔質層３３に、細孔３４の面積占有率が減少した領域と、その面積占有率存が減少していない領域とが形成される。最終的に多孔質層３３に対して隔壁３５が隣接されることにより、前者の領域は隣接領域Ｒ１となり、後者の領域は非隣接領域Ｒ２となる。
【００７０】
［電気泳動素子の好ましい表示方法］
電気泳動素子３０では、上記したように、泳動粒子３２と多孔質層３３（非泳動粒子３３２を含む繊維状構造体３３１）との光反射率の違いを利用してコントラストが生じる。この場合には、泳動粒子３２により明表示されると共に多孔質層３３により暗表示されてもよいし、その逆でもよい。このような役割の違いは、泳動粒子３２の光反射率と多孔質層３３の光反射率との大小関係により決定される。すなわち、明表示する方の光反射率は、暗表示する方の光反射率よりも高くなるように設定される。
【００７１】
中でも、泳動粒子３２により暗表示されると共に、多孔質層３３により明表示されることが好ましい。これに伴い、多孔質層３３の光反射率が実質的に非泳動粒子３３２の光反射率により決定される場合には、その非泳動粒子３３２の光反射率は泳動粒子３２の光反射率よりも高いことが好ましい。この場合における明表示の光反射率は、多孔質層３３による外光の乱反射を利用して著しく高くなるため、それに応じてコントラストも著しく高くなるからである。
【００７２】
［隔壁］
隔壁３５は、泳動粒子３２の存在可能範囲を仕切るための部材である。この隔壁３５は、多孔質層３３に近づく方向に向かって延在しており、隣接領域Ｒ１において表示面の反対側から多孔質層３３に対して部分的に隣接している。
【００７３】
この隔壁３５により、図１および図３に示したように、泳動素子３２を収容するための１または２以上の空間（セル３６）が形成されている。このセル３６の数および配列パターンは、特に限定されないが、例えば、複数のセル３６を形成するためにマトリクス状（複数行×複数列の配置）であることが好ましい。また、セル３６の形状（開口形状）は、特に限定されないが、例えば、図３に示したように矩形でもよいし、他の形状（六角形など）でもよい。
【００７４】
なお、隔壁３５は、例えば、支持板３７の一面に設けられ、その支持板３７により支持されていてもよい。この場合には、隔壁３５および支持板３７がユニット化（隔壁ユニット３８）されていてもよい。ただし、隔壁３５および支持板３７は、一体化されていてもよいし、別体化されていてもよい。ここでは、隔壁ユニット３８は、例えば、画素電極１５およびその周辺の平坦化絶縁層１４を覆うように形成されている。
【００７５】
隔壁３５の形成材料は、電気泳動素子３０の動作性能等に影響を及ぼさない材料であれば、特に限定されないが、成形加工に優れた樹脂などであることが好ましい。所望の寸法および形状を有する隔壁３５を形成しやすいからである。この樹脂は、例えば、熱可塑性樹脂または光硬化性樹脂など（フォトリソグラフィ用のレジストを含む）であり、それ以外の樹脂でもよい。支持板３７の形成材料についても同様である。
【００７６】
なお、隔壁３５の形成材料として樹脂を用いる場合には、その隔壁３５は、例えば、熱可塑性樹脂を用いた熱インプリント法または光硬化性樹脂を用いた光インプリント法などにより形成される。具体的には、熱インプリント法では、例えば、ガラス転移温度以上に加熱された樹脂（高分子材料）にモールド（雌型）がプレスされたのち、冷却後の樹脂からモールドが剥離される。これにより、モールドの表面構造が樹脂の表面に転写されるため、所望の表面構造を有する隔壁ユニット３８が形成される。このモールドは、例えば、フォトリソグラフィ法により成形されたフォトレジスト膜でもよいし、バイトなどの機械加工により成形された金属板などでもよい。
【００７７】
隔壁３５の幅Ｗは、その延在方向において均一でもよいし、不均一でもよい。中でも、幅Ｗは、多孔質層３３に近づくにしたがって次第に小さくなっていることが好ましい。表示面側においてセル３６の開口範囲が広くなると共に、それに応じて泳動素子３２の移動不能領域（隣接領域Ｒ１）が狭くなるため、画像の表示範囲が広くなるからである。隔壁３５の側面の傾斜角度（いわゆるテーパ角度）は、特に限定されないが、例えば、６０°〜９０°、好ましくは７５°〜８５°である。
【００７８】
なお、隔壁３５のピッチおよび高さなどは、特に限定されず、任意に設定可能である。一例を挙げると、隔壁３５のピッチは、３０μｍ〜３００μｍ、好ましくは１０μｍ〜１００μｍであり、隔壁３５の高さは、６０μｍ〜１５０μｍ、好ましくは３０μｍ〜５０μｍである。
【００７９】
中でも、隔壁３５の高さおよび隣接領域Ｒ１における多孔質層３３の厚さＴは、ほぼ均一であることが好ましい。画素電極１５と対向電極２２との間の距離（いわゆるギャップ）が一定になるため、電界強度が均一化されるからである。これにより、応答速度などのムラが改善される。
【００８０】
［スペーサ］
スペーサ４０は、例えば、高分子材料などの絶縁性材料により形成されている。ただし、スペーサ４０の構成は、特に限定されず、微粒子が混入されたシール材などでもよい。
【００８１】
スペーサ４０の形状は、特に限定されないが、中でも、泳動粒子３２の移動を妨げないと共に泳動粒子３２を均一分布させることができる形状であることが好ましく、例えば、格子状である。また、スペーサ４０の厚さは、特に限定されないが、中でも、消費電力を低くするためにできるだけ薄いことが好ましく、例えば、１０μｍ〜１００μｍである。
【００８２】
［表示装置の動作］
この表示装置は、以下のように動作する。図４は、表示装置の動作を説明するためのものであり、図１に対応する断面構成を表している。
【００８３】
ここでは、例えば、泳動素子３２の光反射率が多孔質層３３（繊維状構造体３３１および非泳動粒子３３２）の光反射率よりも低いため、泳動素子３２により暗表示されると共に多孔質層３３により明表示される場合について説明する。
【００８４】
初期状態では、図１に示したように、全てのセル３６において、泳動粒子３２が絶縁性液体３１中において画素電極１５に近い側に位置している。この場合には、表示面側から表示装置を見ると、全ての画素において泳動粒子３２が多孔質層３３により遮蔽されている（明表示されている）ため、コントラストが生じていない（画像が表示されていない）状態になる。
【００８５】
ＴＦＴ１２により画素が選択され、画素電極１５と対向電極２２との間に電界が印加されると、図４に示したように、電界が印加されたセル３６において、泳動素子３２が多孔質層３３の細孔３４を経由して対向電極２２に向かって移動する。この場合には、表示面側から表示装置を見ると、泳動粒子３２が多孔質層３３により遮蔽されている（明表示されている）画素と、泳動粒子３２が多孔質層３３により遮蔽されていない（暗表示されている）画素とが共存するため、その表示色の違いを利用してコントラストが生じる。このようにセル３６ごとに表示色（明暗表示）が切り換えられるため、全体のコントラストを利用して画像が表示される。
【００８６】
＜２．表示装置の製造方法＞
次に、表示装置の製造方法について説明する。図５および図６は、表示装置の製造方法を説明するためのものであり、いずれも図１に対応する断面構成を表している。
【００８７】
最初に、図５に示したように、支持体１１の一面にＴＦＴ１２、保護層１３、平坦化絶縁層１４および画素電極１５をこの順に形成して、駆動基板１０を作製すると共に、支持基体２１の一面に対向電極２２を形成して、対向基板２０を作製する。なお、各構成要素の形成方法としては、例えば、既存の形成方法を随時選択して用いることができる。
【００８８】
続いて、駆動基板１０のうち、画素電極１５およびその周辺の平坦化絶縁層１４の上に、隔壁ユニット３８を形成する。この隔壁ユニット３８を形成する場合には、例えば、熱インプリント法などを用いて樹脂を成形して、隔壁３５および支持板３７を一体形成する。なお、平坦化絶縁層１４および画素電極１５と隔壁ユニット３８との間には、必要に応じて保護層などが形成されてもよい。
【００８９】
また、対向基板２０のうち、対向電極２２を覆うように多孔質層３３を形成する。この多孔質層３３を形成する場合には、例えば、有機溶剤などに繊維状構造体３３１の形成材料を分散させて紡糸溶液を調製し、その紡糸溶液に非泳動粒子３３２を分散させたのち、静電紡糸法により紡糸を行う。これにより、非泳動粒子３３２が繊維状構造体３３１により保持されるため、多孔質層３３が形成される。この形成後の多孔質層３３では、細孔３４の面積占有率が全体に渡ってほぼ均一である。
【００９０】
続いて、図６に示したように、駆動基板１０と対向基板２０との間に絶縁性液体３１（図１参照）を充填させるための空間が確保されるように、スペーサ４０を介して駆動基板１０と対向基板２０とを対向させる。この場合には、隔壁３５の先端部において多孔質層３３を部分的に押圧することにより、その押圧部分（隣接領域Ｒ１）において細孔３４の面積占有率を他の部分（非隣接領域Ｒ２）よりも減少させる。これにより、多孔質層３３の厚さＴは、非隣接領域Ｒ２よりも隣接領域Ｒ１において小さくなる。
【００９１】
最後に、駆動基板１０および対向基板２０とスペーサ４０とにより囲まれた空間に、泳動粒子３２が分散された絶縁性液体３１を充填する。この場合には、隔壁３５により仕切られたセル３６ごとに泳動粒子３２が配置されるようにする。これにより、表示装置が完成する。
【００９２】
なお、図６では、隔壁３５を用いて多孔質層３３を押圧する場合について説明したが、隔壁３５以外の他の部材を用いて多孔質層３３を部分的に押圧したのち、その多孔質層３３の押圧された部分に隔壁３５を隣接させてもよい。この場合においても、隣接領域Ｒ１の多孔質層３３において細孔３４の面積占有率が局所的に減少する。ただし、多孔質層３３に対する隔壁３５の密着性を確保すると共に電気泳動素子３０の製造工程を簡略化するためには、隔壁３５を用いて押圧することが好ましい。
【００９３】
［表示装置の作用および効果］
この表示装置によれば、多孔質層３３は繊維状構造体３３１により形成されており、その繊維状構造体３３１は泳動粒子３２とは光学的反射特性が異なる非泳動粒子３３２を含んでいる。
【００９４】
この場合には、多孔質層３３が泳動粒子３２を移動させることができる十分な大きさおよび数の細孔３４を有していながら、その多孔質層３３において薄い膜厚でも外光が乱反射されやすくなる。特に、上記した繊維状構造体３３１だけでなく、非泳動粒子３３２によっても外光が乱反射されやすくなる。これにより、多孔質層３３の光反射率が向上するため、コントラストが高くなる。また、泳動粒子３２が細孔３４を移動しやすくなるため、その移動に要する時間が短くなると共に、必要なエネルギーも低くなる。
【００９５】
しかも、表示装置では、隔壁３５が表示面の反対側から多孔質層３３に対して部分的に隣接しており、その多孔質層３３における細孔３４の面積占有率が非隣接領域Ｒ２よりも隣接領域Ｒ１において小さくなっている。
【００９６】
この場合には、隔壁３５により泳動粒子３２の存在可能範囲が仕切られ、その泳動粒子３２が隣接領域Ｒ１における多孔質層３３を経由して移動しにくくなるため、泳動粒子３２の拡散、対流および凝集などが抑制される。これにより、表示ムラなどの画質低下が抑制されるため、画像の表示安定性が向上する。また、表示面側から見ると、隔壁３５が多孔質層３３により遮蔽され、その隔壁３５の存在に起因してコントラストが低下しにくくなるため、コントラストがより高くなる。
【００９７】
これらのことから、高コントラスト、高速応答および低消費電力が実現されるため、低消費電力で高品位な画像を表示できる。
【００９８】
特に、多孔質層３３の厚さＴが非隣接領域Ｒ２よりも隣接領域Ｒ１において小さくなっていれば、電気泳動素子３０全体の厚さが薄くなるため、隔壁３５を設けた場合においても表示装置を薄型化できる。
【００９９】
また、隔壁３５の幅Ｗが多孔質層３３に近づくにしたがって次第に小さくなっていれば、セル３６の開口範囲が大きくなるため、画像の表示範囲を広げることができる。
【０１００】
この他、繊維状構造体３３１が静電紡糸法により形成されており、または繊維状構造体３３１がナノファイバーであれば、外光の乱反射性をより高くする立体構造が繊維状構造体３３１により形成されやすくなると共に、細孔３４がより大きくなると共にその数もより多くなるため、より高い効果を得ることができる。また、非泳動粒子３３２の光反射率が泳動粒子３２の光反射率よりも高く、泳動粒子３２により暗表示されると共に多孔質層３３により明表示されるようにすれば、外光の乱反射を利用して多孔質層３３の光反射率が著しく高くなるため、より高い効果を得ることができる。
【０１０１】
また、表示装置の製造工程において、細孔３４の面積占有率を局所的に減少させるために多孔質層３３を部分的に押圧する部材として隔壁３５を用いれば、多孔質層３３に対する隔壁３５の密着性を確保できると共に、電気泳動素子３０の製造工程を簡略化できる。
【実施例】
【０１０２】
次に、本技術の実施例について詳細に説明する。
【０１０３】
（実験例）
以下の手順により、暗表示用の泳動粒子および明表示用の多孔質層を用いて表示装置を作製した。
【０１０４】
［泳動素子の準備］
カーボンブラック（三菱化学株式会社製＃40）１０ｇを水１ｄｍ3 （＝Ｌ）に加えて電磁攪拌したのち、塩酸（３７重量％）１ｃｍ3 （＝１ｍＬ）と４−ビニルアニリン０．２ｇとを加えて溶液Ａを準備した。続いて、亜硝酸ナトリウム０．３ｇを水１０ｃｍ3 に溶解させたのち、４０℃まで加熱して溶液Ｂを準備した。続いて、溶液Ａに溶液Ｂをゆっくり加えたのち、１０時間攪拌した。続いて、反応により得られた生成物を遠心分離して固形物を得た。続いて、固形物を水でリンスし、さらにアセトンで遠心分離しながらリンスしたのち、真空乾燥機（温度＝５０℃）で一晩乾燥した。
【０１０５】
続いて、窒素パージ装置、電磁攪拌棒および還流カラムが取り付けられた反応フラスコ中に、固形物５ｇと、トルエン１００ｃｍ3 と、メタクリル酸２−エチルヘキシル１５ｃｍ3 と、ＡＩＢＮ０．２ｇとを入れて混合した。続いて、攪拌しながら反応フラスコを窒素で３０分間パージした。続いて、反応フラスコを油浴に投入し、連続攪拌しながら８０℃まで徐々に加熱したのち、１０時間維持した。続いて、固形物を遠心分離し、その固形物をテトラヒドロフラン（ＴＨＦ）および酢酸エチルと一緒に遠心分離を３回行うごとにリンスしたのち、固形物を取り出して真空乾燥機（温度＝５０℃）で一晩乾燥した。これにより、黒色の泳動粒子である重合体被覆カーボンブラック４．７ｇを得た。
【０１０６】
続いて、絶縁性液体として、Ｎ，Ｎ−ジメチルプロパン−１，３−ジアミン、１２−ヒドロキシオクタデカン酸およびメトキシスルホニルオキシメタン（Lubrizol社製Solsperse17000）を０．５％含むと共にソルビタントリオレエート（Span85）を１．５％含むIsoparG （エクソンモービル社製）溶液を準備したのち、その絶縁性液体９．９ｇに泳動粒子０．１ｇを加えて、ビーズミルで５分間攪拌した。続いて、混合液を遠心分離機（回転速度＝２０００ｒｐｍ）で遠心分離（５分間）したのち、ビーズを取り除いた。
【０１０７】
［多孔質層の準備］
繊維状構造体の形成材料であるポリアクリロニトリル（Aldrich 社製：分子量＝１５００００）１２ｇをＮ，Ｎ‘−ジメチルホルムアミド８８ｇに溶解させて溶液Ｃを準備した。続いて、非泳動粒子である酸化チタン（堺化学工業株式会社製TITONE R-45M）３０ｇを溶液Ｃ７０ｇに加えたのち、ビーズミルを用いて混合して紡糸溶液を準備した。続いて、紡糸溶液をシリンジに入れ、所定のパターン形状の画素電極（ＩＴＯ）が形成されたガラス基板の上で、電界紡糸装置（株式会社メック製NANON ）を用いて８往復分の紡糸を行った。紡糸条件は、電界強度＝２８ｋＶ、吐出速度＝０．５ｃｍ3 ／分、紡糸距離＝１５ｃｍ、スキャンレート＝２０ｍｍ／秒とした。続いて、真空オーブン（温度＝７５℃）中でガラス基板を１２時間乾燥して、非泳動粒子を含む繊維状構造体を形成した。
【０１０８】
［隔壁ユニットの準備］
隔壁ユニットの形成材料である紫外線硬化型インプリント樹脂（以下、「ＵＶインプリント樹脂」という。）の下地（画素電極など）に対する密着強度を確保するために、その下地の表面にシランカップリング処理を施した。この場合には、シランカップリング剤（信越化学工業株式会社製KBM-503 ）と酢酸エチルとを２：８の重量比で混合したのち、その混合液を下地の表面に塗布して５分間放置した。続いて、下地の表面から混合液を取り除いたのち、１２０℃×１５分間加熱した。続いて、下地の表面を軽く冷却し、その表面をアルコールで洗浄したのち、純水で洗浄した。こののち、下地の表面を乾燥させて、シランカップリング処理が完了した。
【０１０９】
続いて、シランカップリング処理済みの下地の表面に、ＵＶインプリント樹脂（東洋化成株式会社製PAK-01-CL ）の溶液を０．１ｃｍ3 （＝ｍｌ）滴下した。続いて、ＵＶインプリント樹脂の溶液が滴下された下地に対してモールド（雌型）を加圧して押し当てながら、紫外線を照射してＵＶインプリント樹脂を硬化させたのち、モールドを取り外した。これにより、モールドの表面構造が硬化後のＵＶインプリント樹脂に転写されたため、図１および図３に示した構成を有すると共に隔壁および支持板が一体化された隔壁ユニットが形成された。なお、隔壁の寸法等は、最小幅＝８μｍ、最大幅＝２５μｍ、高さ＝５０μｍ、テーパ角度＝８０°とした。
【０１１０】
［表示装置の組み立て］
画素電極（ＩＴＯ）が形成されたガラス基板から、その画素電極が形成されていない領域に付着した不要な多孔質層を除去した。続いて、対向電極（ＩＴＯ）が全面形成されたガラス基板の上にスペーサとしてＰＥＴフィルム（厚さ＝５０μｍ）を置いたのち、その上に、画素電極および多孔質層が形成されたガラス基板を重ねた。最後に、２枚のガラス基板の間の隙間に、泳動粒子が分散された絶縁性液体を注入した。
【０１１１】
（比較例）
隔壁ユニットを用いなかったことを除き、実験例と同様の手順により表示装置を作製した。
【０１１２】
実験例および比較例の表示装置について、分光濃度計（エックスライト株式会社製ｉ１Ｂａｓｉｃ）を用いて表示面の明度（Ｌ値）を測定したところ、実験例では６８、比較例では７０であった。この結果は、隔壁を用いている実験例において、多孔質層の光反射率（明表示）に隔壁がほとんど影響を及ぼしていないため、隔壁を用いていない比較例とほぼ同等の明表示性能（白反射率）が得られることを表している。この実験結果により、本技術では、隔壁を用いても多孔質層の光反射率が確保されるため、高いコントラストが得られることが確認された。
【０１１３】
以上、実施形態を挙げて本技術を説明したが、本技術は実施形態で説明した態様に限定されず、種々の変形が可能である。例えば、本技術の電気泳動素子は、表示装置に限らず、他の電子機器に適用されてもよい。
【符号の説明】
【０１１４】
１０…駆動基板、１５…画素電極、２０…対向基板、２２…対向電極、３０…電気泳動素子、３１…絶縁性液体、３２…泳動粒子、３３…多孔質層、３４…細孔、３５…隔壁、３６…セル、４０…スペーサ、３３１…繊維状構造体、３３２…非泳動粒子、Ｒ１…隣接領域、Ｒ２…非隣接領域。
【図１】
0005609700.tif 000002
【図２】
0005609700.tif 000003
【図３】
0005609700.tif 000004
【図４】
0005609700.tif 000005
【図５】
0005609700.tif 000006
【図６】
0005609700.tif 000007